(57)【要約】【課題】  多数の図書類を立てて収容するコンテナにおいて、図書類の倒れ防止を図る。【解決手段】  コンテナの収納空間の底板である第１の底板５１には開口部５１ａが設けられており、また該開口部５１ａの下方には、該開口部５１ａの底部を形成する第２の底板５２が設けられている。そして、前記開口５１ａと前記第２の底板５２間の空間６には、ブックサポート７の脚部７ｂの係止部７ａが挿入配置されており、該ブックサポート７は、その係止部７ａの該空間内におけるばね力による拡幅作用で係止され、また該係止部７ａの該空間内における縮幅作用で該係止が解除され、これにより該ブックサポート７は前記開口５１ａおよび空間６内において、適宜位置で係止され、また適宜可動とされるようになされている。【選択図】      図１０
2005304573.tif 000002
【特許請求の範囲】
【請求項１】
上下左右に亘り多数の棚小間で形成された格納棚の間口面に沿い形成された通路にコンテナ搬送機が走行自在に配設され、該コンテナ搬送機の昇降荷台に設けられた移載手段により昇降荷台と棚小間との間でコンテナを摺動させて移載する図書類収納コンテナであって、
該コンテナは、その底部壁を形成する底板部に該コンテナの長手方向においてスライド可能でかつ該長手方向の所望の位置において係止可能なブックサポートを備えていることを特徴とするブックサポート付きコンテナ。
【請求項２】
前記コンテナの底部壁を形成する底板部は２重構造とされ、該２重構造底板間がブックサポートの装着部とされており、該２重構造底板の外側壁面が格納棚の棚小間棚板との摺動面とされ、前記２重構造底板間はコンテナの内外を貫通する通気通路として形成されていることを特徴とする請求項１に記載のブックサポート付きコンテナ。
【請求項３】
前記コンテナの底部壁を形成する底板部は第1、第２の底板からなる２重構造とされ、該２重構造底板間がブックサポートの装着部とされており、該２重構造底板の外側壁面が格納棚の棚小間棚板との摺動面とされ、該摺動面は前記第１、第２の底板のそれぞれの外側壁面のリブ状突部が互いに連続されることで形成されていることを特徴とする請求項１または２に記載のブックサポート付きコンテナ。
【請求項４】
前記底板部は第1、第２の底板からなり、第１の底板には開口部が設けられ、該開口部の下方には該開口部の側部を完全には閉塞しない該側部の連接部を介して該開口部の底部を形成する前記第２の底板が配置されており、該開口部と第２の底板間の空間内に前記ブックサポートがその係止部を備えた脚部を前記開口部を通して挿入配置されており、これにより前記ブックサポートは該開口部内および該空間内をスライド可能かつ該空間内においてその係止部により係止可能な状態とされて前記底板部に設けられていることを特徴とする請求項１ないし３のいずれかに記載のブックサポート付きコンテナ。
【発明の詳細な説明】
【技術分野】
【０００１】
本発明は上下左右に亘り多数の棚小間で形成された格納棚に保管し、格納棚に沿い形成された通路にコンテナ搬送機を走行自在に配設し、コンテナ搬送機の昇降荷台に設けられた移載手段により昇降荷台と棚小間でコンテナを摺動させて移載する図書収納コンテナに係り、格納棚から搬送されたコンテナに対して作業者が行う、図書の収納、または取り出し効率を図るようにしたものに関する。
【背景技術】
【０００２】
ここで、自動書庫の説明をしておきたい。
最近、大量の図書を保管する装置として、図書を収容したコンテナを上下左右に亘り多数の棚小間で形成された格納棚に保管し、格納棚に沿う通路を走行するコンテナ搬送機と種々の搬送機器によってコンテナを搬出入する自動書庫を備え、自動書庫から図書の収納、または取り出しをする作業場所であるステーションまで搬送して、図書の貸し出し、返却を行う図書保管管理装置は周知である。
【０００３】
そして、このコンテナを利用した図書保管管理装置における図書の取り出しは、利用者の貸し出し請求に応じて自動書庫からステーションに搬送された図書収納コンテナがステーションカウンタ台の開口部相当位置に保持され、コンテナに収納された図書がカウンタの開口部を通してその背表紙が図書館員により目視される状態で、タッチパネル式操作表示ユニットに表示される図書名を見て該コンテナから取り出すことにより行われ、また、図書の収納は、空きスペースのあるコンテナを選択して自動書庫からステーションに搬送し、返却する図書の図書番号をバーコードで読み取り後に該コンテナに収納することにより行われ、ステーションでの取り出し、収納作業が終了したコンテナは自動書庫内の所定格納棚に戻されることになる。
【０００４】
したがって、上述の一例とされる態様において使用されるコンテナにあっては、図書館員による取り出すべき図書の図書名の目視性の向上と該図書の取り出しの容易性が重要視されることから、該コンテナの長手方向を図書の厚さ方向として図書は立てて収容され、ステーションにおいてコンテナはその長手方向を手前にして保持されるようになされている。
【０００５】
ところで、本立や書庫におけるブックサポートの使用は従来から慣用的に行なわれており、本立てにおいては、仕切り板やブックエンド等が使用され、仕切り板としては固定式のものと、可動式のものが知られ、可動式の仕切り板としては、本立ての本体に設けられたスリットや溝に仕切り板を挿脱して本の収容スペースを調整するものやブックエンドのような自立底部をもつ可動式のものが良く知られている。
また、大型の図書の収納用書庫における棚等においても、ブックサポートの使用がなされており、この場合においてもブックサポートとしては棚に固定式のものと、上記のような可動式のものが使用されていることも良く知られるところである（たとえば、特許文献１参照）。
【特許文献１】特許第３４１２７５８号公報（第２頁−第３頁、第２図）
【発明の開示】
【発明が解決しようとする課題】
【０００６】
上述の特許文献１に記載の発明の図書類の収納用書庫０１は、図１４に図示のように収納図書類の倒れを防止するブックサポート０２を備えており、このブックサポート０２は、図１５に図示されるように、横断面形状が円形のばね鋼からなるやや太めの線材を屈曲させて形成され、対をなす脚部０２ａと、該脚部０２ａのそれぞれの一端に連なる対をなす係止部０２ｂと、該脚部０２ａのそれぞれの他端に連なることで形成された略矩形状を呈する書籍類支え部０２ｃとを備えている。
【０００７】
ブックサポート０２は、書庫０１の上部棚板０１１の長手方向に延びる溝部０１１ａにその対をなす脚部０２ａをもって適宜可動な状態で保持され、該ブックサポート０２の可動調整により書庫０１の棚板０１１における図書類の適正な収納が達成されるようにされている。なお、図１４においてはブックサポート０２を図書類に対して垂下させているが、棚板０１１上面に係止部を設け、ブックサポート０２を図書類に対して立設させる構造も採用されている。
【０００８】
上述のように従来きわめて普通に使用される本立はもとより比較的大型の書庫においても、ブックサポートの使用は固定式であれ、可動式であれ、慣用的になされているところであるが、上述の自動書庫における図書類の収納や取り出しに使用される容器である搬送用コンテナそのものに図書類の倒れ防止のためのブックサポート、とりわけ、可動式のブックサポートを設けた例は意外と知られていない。
【０００９】
しかしながら、自動書庫で使用される搬送用コンテナにおける図書類の収納においては、既述のように収納された図書の図書名の目視の容易性と、所望とする図書の取り出しの容易性が重要視されるところであり、コンテナにおける図書の収納は該図書を立てて収納する必要性があり、このために搬送用コンテナにおいても上述の本立てや書庫において使用されるブックサポートの設置が必要不可欠とされるところである。
【００１０】
ところで、自動書庫用の上述の搬送用コンテナにおけるブックサポートの使用は、既述の固定式ブックサポートにおいては、コンテナの構造上は格別な問題を提起するところではないが、空きスペースが生じたときに図書が倒れ、収納図書の目視が困難となり、また、図書は型崩れを起こして損傷する恐れがあり、積極的に採用し難いところである。
【００１１】
そこで、既述の可動式ブックサポートの採用が望まれるところであるが、適宜間隔に設けられたスリットや溝に対してブックサポートを挿脱して図書の収納スペースをそのスリットや溝の間隔の範囲内において調整する形式のものにあっては、該スリットや溝の設置間隔に応じた調整に限られるという問題があり、また、その安定性からしてコンテナの長手方向両側の立面と底面の３個所において係止し支持する必要があり、構造の複雑化は避けられず、スリットはコンテナの前記長手方向両側の立面に溝を彫り込むことで形成するので、その分該立面の部材を厚くする必要があり、結果としてコンテナの収納有効容積を減らすことになる。
【００１２】
また、可動式ブックサポートの他の一つであるブックエンドは、その自立と、該自立の安定性維持のための比較的大きな底面構造部を必要とし、その自立のための比較的大きな底面構造部が存在するため、該底面構造部が邪魔をして、ブックエンドをコンテナの左右端面に接近させることができず、さらに、ブックエンドの移動は、図書が既に該ブックエンドの底面構造部上にあるときにはスムーズに行うことができないという課題を残すものである。
【００１３】
上述したような状況のなかで、自動書庫において図書の収納、取り出しに使用される搬送用コンテナにおいて、単純な構造で、その装脱が容易であり、しかもその所望位置への移動と、該所望位置での安定した強固な固定状態での保持が容易に達成できる可動式のブックサポートが装備された前記コンテナの提供が望まれるところである。
【課題を解決するための手段】
【００１４】
本発明は、前記課題を解決するために提供された自動書庫で使用されるコンテナの改良構造であり、上下左右に亘り多数の棚小間で形成された格納棚の間口面に沿い形成された通路にコンテナ搬送機が走行自在に配設され、該コンテナ搬送機の昇降荷台に設けられた移載手段により昇降荷台と棚小間との間でコンテナを摺動させて移載する図書類収納コンテナであって、該コンテナは、その底部壁を形成する底板部に該コンテナの長手方向においてスライド可能でかつ該長手方向の所望の位置において係止可能なブックサポートを備えていることを特徴とする。
【００１５】
また、前記コンテナの底部壁を形成する底板部は２重構造とされ、該２重構造底板間がブックサポートの装着部とされており、該２重構造底板の外側壁面が格納棚の棚小間棚板との摺動面とされ、前記２重構造底板間はコンテナの内外を貫通する通気通路として形成されていることを特徴とする。
【００１６】
さらに、前記コンテナの底部壁を形成する底板部は第１、第２の底板からなる２重構造とされ、該２重構造底板間がブックサポートの装着部とされており、該２重構造底板の外側壁面が格納棚の棚小間棚板との摺動面とされ、該摺動面は前記第１、第２の底板のそれぞれの外側壁面のリブ状突部が互いに連続されることで形成されていることを特徴とする。
【００１７】
また、前記底板部は第１、第２の底板からなり、第１の底板には開口部が設けられ、該開口部の下方には該開口部の側部を完全には閉塞しない該側部の連接部を介して該開口部の底部を形成する前記第２の底板が配置されており、該開口部と第２の底板間の空間内に前記ブックサポートがその係止部を備えた脚部を前記開口部を通して挿入配置されており、これにより前記ブックサポートは該開口部内および該空間内をスライド可能かつ該空間内においてその係止部により係止可能な状態とされて前記底板部に設けられていることを特徴とする。
【発明の効果】
【００１８】
本発明の請求項１に係る発明は、前記コンテナであって、該コンテナは、その底部壁を形成する底板部に該コンテナの長手方向においてスライド可能でかつ該長手方向の所望の位置において係止可能なブックサポートを備えているから、図書収納における空きスペースが存在してもブックサポートをスライドさせて所謂無段階での調整がなされるから如何なる位置においても立てた状態において収納された図書を安定して支えることができるので、コンテナに収納される図書は常に正しく立てた状態で収納されて倒れることがないので、図書名の目視性が良好で、取り出しが容易である。また、図書の形が崩れて変形することはなく、該図書の損傷を防止することができる。
【００１９】
本発明の請求項２に係る発明は、前記請求項１に記載の発明において、前記コンテナの底部壁を形成する底板部は２重構造とされ、該２重構造底板間がブックサポートの装着部とされており、該２重構造底板の外側壁面が格納棚の棚小間棚板との摺動面とされ、前記２重構造底板間はコンテナの内外を貫通する通気通路として形成されているから、コンテナの底部壁の強化が図られ、ブックサポートの装着部は直接的には視認し難い状態であるからその外観性が向上される。また、２重構造底板間はコンテナの内外を貫通する通気通路とされるから、コンテナ内部の通気性が向上されて収納された図書の傷みが防止される。
【００２０】
本発明の請求項３に係る発明は、前記請求項１または２に記載の発明において、前記コンテナの底部壁を形成する底板部は第１、第２の底板からなる２重構造とされ、該２重構造底板間がブックサポートの装着部とされており、該２重構造底板の外側壁面が格納棚の棚小間棚板との摺動面とされ、該摺動面は前記第１、第２の底板のそれぞれの外側壁面のリブ状突部が互いに連続されることで形成されているから、コンテナの底部は、多数のリブ状突部による摺動面を介して棚板上に支持され、また該棚板上を摺動するが、第１、第２の底板の外側壁面の多数のリブ状突部は互いに連続された構造であるから、底板部の強化が図られ変形が殆どなく、コンテナの搬入・搬出における摺動性が大幅に向上される。
【００２１】
本発明の請求項４に係る発明は、前記請求項１ないし３のいずれかに記載の発明において、前記底板部は第１、第２の底板からなり、第１の底板には開口部が設けられ、該開口部の下方には該開口部の側部を完全には閉塞しない該側部の連接部を介して該開口部の底部を形成する前記第２の底板が配置されており、該開口部と第２の底板間の空間内に前記ブックサポートがその係止部を備えた脚部を前記開口部を通して挿入配置されており、これにより前記ブックサポートは該開口部内および該空間内をスライド可能かつ該空間内においてその係止部により係止可能な状態とされて前記底板部に設けられているものである。
【００２２】
したがって、前記底板部におけるブックサポートの装着は容易であり、ブックサポートの円滑なスライドと確実な係止構造が得られる。また、コンテナの底板部が第１、第２の底板からなり、両底板間の前記完全には閉塞されない開口部側部の空間を通して空気の流れが形成されるからコンテナ内部における通気性の向上が図られ、収納図書の長期に亘る収納においても傷みのない安全な保管が達成可能となる。
【発明を実施するための最良の形態】
【００２３】
本発明の実施例を図１および図１３に基づいて説明する。
【実施例】
【００２４】
図１には、本発明の実施例におけるコンテナ１の斜視図が図示されており、該コンテナ１は、通常、繊維強化合成樹脂（ＦＲＰ）製の射出成形等からなる成形品とされ、該斜視図から理解できるように、コンテナ１は全体として縦長の上方が開口する収納空間２を備える引き出し形状を呈し、該収納空間２形成のための長手方向に平行して延びる長手方向両側の立壁３と、比較的短い幅方向に平行して延びる前後の立壁４、さらにコンテナの底板部、すなわち、前記収納空間２の底面を形成する底部壁５とを備えている。
【００２５】
そして、コンテナ１の前記各壁、すなわち、コンテナ１の長手方向両側の立壁３と、コンテナ１前後の立壁４と、コンテナ底部壁５とに囲まれた実質的にコンテナ１の図書類を収納する平面視長方形をなす既述の縦長の空間２は、その長手方向における略中央部において該コンテナ１に一体的に形成された中央仕切り壁部２０により２つの収納空間２１、２２に２分されており、これら２つの収納空間２１、２２は互いに略等しい収容容積を持つものとされている。
【００２６】
コンテナ１の長手方向両側の立壁３は、それぞれ互いに同様の構造の壁として形成されており、図１，２に図示されるように、該両立壁３は、コンテナ１の前後の壁である立壁４に比べてその高さが低めに抑えられた構造とされ、図書の収納や取り出しの容易性、さらには、図書名の目視性の容易化が図られている。
【００２７】
また、コンテナ１の既述の前後壁である短い両立壁４は、図１，２，３等に図示されるように、コンテナ１の長手方向両側の長い立壁３の長手方向両端部を上述の収納空間部２形成のために閉鎖する構造部であり、該立壁４は、長い立壁３に比較してその上下方向高さが高くされ、すなわち、コンテナ１の長手方向両端において高く突出する構造部とされている。
【００２８】
コンテナ１の前後壁であるこれら立壁４は、該前後壁におけるその外側壁面４Ａの正面視構造において差異はなく、これら立壁４は、図３に図示される該正面視形状において略矩形部をなす基部４１上に略台形状の前記高く突出する突出構造部４２が載置された形状をなし、この突出構造部４２は、図２，６等の参照により理解できるように、その側面視においては、その内側壁面４Ｂ、すなわち、収納空間２側がやや外方に拡がるように湾曲し、これにより収納空間２における図書の出し入れの容易性が確保されているが、該立壁４の正面視形状は、図３に図示されるように全体としては略台形状に類似した外形形状をなしている。
【００２９】
そして、略台形状に類似した正面外形形状を有するこれら立壁４の外側壁面４Ａには、図１，３等に図示されるように、他のコンテナ１との連結のために供される溝連結片４ａと、ほぞ連結片４ｂが形成されており、図３に図示されるようにその正面視において溝連結片４ａは該立壁４の外側壁面４Ａの左方寄りの位置に配設され、溝連結片４ａは、上下で互いに対向する２つの対向部片４ａ１，４ａ２を備え、該対向部片４ａ１，４ａ２間が溝空間４０として形成されたものである。また、ほぞ連結片４ｂは該壁面４Ａの右方寄りの位置に配設され、溝連結片４ａの溝空間４０に係合可能な頭部４ｂ１を備えている。
【００３０】
コンテナ１の前後部である立壁４における前記溝連結片４ａとほぞ連結片４ｂは、多数存在するコンテナ１において共通の構造とされており、これらいずれのコンテナ１の選択組合せにおいても相互の連結関係を成立させるものとされている。
【００３１】
そして、コンテナ１の底部すなわち、底部壁５は、図１，４，５，６，８等の図示から理解できるように、その大部分が第１の底板５１により塞がれている。
図４等に図示されるように、第１の底板５１には、その長手方向の中央部において一体成形の既述の中央仕切り壁２０が備えられており、該底板５１の中央仕切り壁２０を挟んだ長手方向の対称的な位置には、その幅方向中央で該長手方向前後に延長する２つの対称構造とされる開口部５１ａが形成されている。
【００３２】
この２つの開口部５１ａは、それぞれ第１の底板５１の中央部である中央仕切り壁２０の形成部分５１ｂから該底板５１の長手方向両端部の所定幅部分５１ｃにまで延びており、該開口部５１ａの長手方向両側縁５１ａ１に、該両側縁５１ａ１から下方へ延びる垂下壁を経て略水平に移行する多数の等間隔配置の腕状連接部５１ｄ,５１ｄ・・・が設けられており、該腕状連接部５１ｄのそれぞれの内端が該開口部５１ａの実質的な底部を形成する第２の底板５２の両側縁５２ａに連接され、これにより該第２の底板５２は該腕状連接部５１ｄを介して第１の底板５１に支持されている。
【００３３】
そして、前記腕状連接部５１ｄは、後述される第１の底板５１の外側壁面５１Ａのリブ状突部５１Ａ１と、第２の底板５２の外側壁面５２Ａのリブ状突部５２Ａ１とを連続するリブ状突部を実質的に構成しており、また、前記垂下壁は、後述される第１の底板５１の外側壁面５１Ａの前記開口部５１ａ両側縁５１ａ１隣接のリブ状突部５１Ａ２の一部を構成している（図５，９参照）。
【００３４】
第２の底板５２は、実質的に第１の底板５１に対して平行配置とされており、該配置をもって、図４に図示されるように、開口部５１ａの長手方向両側縁５１ａ１により形成される該開口部５１ａの横幅の略全面を塞いでいるが、第２の底板５２の幅は、図４における平面視から理解できるように第１の底板５１の前記開口部５１ａにより形成される開口幅Ｌ２よりもその幅が僅かに小さくされ、したがって、第１の底板５１の開口部５１ａの両側縁５１ａ１と第２の底板５２の両側縁５２ａとの間には僅かな隙間５３が存在している。
【００３５】
図４に図示される平面視において上記関係におかれる第１の底板５１の２つの長い開口部５１ａと、該開口部５１ａの底部を形成する第２の底板５２のそれぞれは、図８，９に図示されるその横断面視から理解できるように、互いに上下方向において所定の間隔を存して対峙し、該間隔により形成される空間６が、上述の第１底板５１の長い開口部５１ａのそれぞれの長手方向における該開口の全長に亘る長さを備えて該長手方向で延びている。
【００３６】
また、空間６のその横幅は、開口部５１ａの開口幅Ｌ２（図４参照）より広くなるように、該開口部５１ａの両側縁５１ａ１の下側においてさらに溝６ａを形成するように延びており、空間６の幅Ｌ３（図９参照）は開口部５１ａの開口幅Ｌ２よりも該空間６両側の溝６ａの分だけ拡幅Ｌ３されており、この幅Ｌ３をもって既述のように長い開口部５１ａの長手方向全長に亘り延びている。
【００３７】
そして、このコンテナ１の長手方向に延長するその長い２つの開口部５１ａには、図１０に図示されるように、それぞれ可動式のブックサポート７が設けられている。
可動式のブックサポート７は、図１０に図示される構造を備えており、すなわち、横断面形状が円形のばね鋼からなるやや太めの線材が屈曲されて形成されており、概ね所定長さの一対の係止部７ａと、該一対の係止部７ａから略垂直に立上がる脚部７ｂを有して、該脚部７ｂがその上方で幅方向に拡曲された矩形状に曲折された図書類に直接当接される図書押さえ部７ｃからなる構造を備えている。
【００３８】
このブックサポート７は、図１０に図示されるように、第１の底板５１の２つの長い開口部５１ａのそれぞれに設けられるが、その装着は、該開口部５１ａの長手方向の対をなす開口両側縁５１ａ１下部の空間６における長手方向両側の溝６ａにその対をなす脚部７ｂの係止部７ａが係止されることでなされる。
【００３９】
すなわち、前記溝６ａへの脚部係止部７ａ係止のために、ブックサポート７の図書押さえ部７ｃの矩形状に曲折された該押さえ部７ｃのやや下方寄りの位置をその幅方向から圧縮して、対をなす脚部７ｂの間隔の縮小がなされる。
【００４０】
ブックサポート７の脚部７ｂの間隔の縮小状態において、前記それぞれの長い開口部５１ａの該開口上部からブックサポート７の前記一対の係止部７ａをもつ脚部７ｂを挿入し、その対をなす脚部７ｂの下部の係止部７ａを第２の底板５２の上面、すなわち、該底板５２の内側壁面５２Ｂに当接させるようにして脚部７ｂを空間６の両側の溝６ａに臨ませるようにする。
【００４１】
そして、対をなす脚部７ｂに加えられた該脚部７ｂの間隔縮小のための圧縮力を解除して、該圧縮力の解除によりその弾性力により復元拡幅した対をなす脚部７ｂの係止部７ａを空間６の両側の溝６ａ内において該弾性力による摩擦力で保持させることで該ブックサポート７は装着される。
【００４２】
ブックサポート７の前記装着は、該ブックサポート７の強固な立設状態の保持構造においてなされ、そのための十分な係止部７ａの長さと、拡幅のための脚部７ｂの弾性力を備える構造とされており、これにより、前記空間６の両側の溝６ａとの十分な摩擦力を確保して、本発明のコンテナ１の搬入・搬出における移載時等のコンテナ高速移動においても、該コンテナ１内に整然と整理収納された図書類が倒れることなく確実に保持されるようになされている。
【００４３】
ブックサポート７のその装着位置は、開口部５１ａの長手方向において適宜変更できるものであり、この装着位置の変更は、上述のようにその対をなす脚部７ｂの間隔を縮小させる幅方向からの圧縮力を加えることで、その空間６における空間形成壁部である前記溝６ａと脚部７ｂとの圧接を解除してから適宜該開口部５１ａの長手方向に移動させることでなされる。
ブックサポート７は、前記開口部５１ａにそれぞれ一つづつ装着することでも良いが、適宜複数装着することもでき、その装着個数は必要に応じて適宜選択されるところである。
【００４４】
コンテナ１の底部である底部壁５の大部分を塞ぐ第１の底板５１は、上述のようにその上面、つまり、図書類等の収納空間２の底面部を実質的に形成する該底板５１の内側壁面５１Ｂは、該空間２を２分する中央仕切り壁２０と前記長手方向に延びるそれぞれの開口部５１ａを備えるところであるが本質的には平坦な面として形成され、図書等の収納物の出し入れが行ない易くなされており、また該図書等の収納物に損傷を与えない構造とされている。
【００４５】
また、第１の底板５１のその下面は、すなわち、底部外側壁面５１Ａは、図５，６，７，８，９等に図示されるように、該外側壁面５１Ａが図１１，１２に図示される自動書庫１０等における棚板１１やコンテナ搬送機１３における昇降荷台１３ａの載置面等に直接接触し、図書等の収納物の重量を直接支え、また、該棚板１１や載置面と摺動する構造部であるから、該構造部の強化とコンテナ１の搬入・搬出における移動取り扱いの容易化のために該外側壁部５１Ａには縦横に延びるリブ状突部５１Ａ１，５１Ａ２がその全面に亘り設けられている。
【００４６】
そして、前記第１の底板５１と協働して前記コンテナ１の底部壁５を形成する第２の底板５２の外側壁面５２Ａにも、すなわち、前記第１の底板５１の２つの開口部５１ａを塞ぐ該開口部５１ａの実質的な底部である底板５２の外側壁面５２Ａに相当する該コンテナ１の底部幅方向中央部外側壁面にも、第１の底板５１同様に該底板の強化とコンテナ１の移動取り扱いの容易化のための策が講じられており、該外側壁面５２Ａにも該壁面を縦横に延びるリブ状突部５２Ａ１，５２Ａ２が設けられ、このリブ状突部のうち横方向に延びるリブ状突部５２Ａ１は前記第１の底板５１の横方向リブ突部５１Ａ１に既述のように連続し、図５に図示されるようなコンテナ底部壁５の外側壁面５Ａを連続して横断する多数のリブ状突部を構成する。
【００４７】
第２の底板５２の外側壁面５２Ａに設けられたリブ状突部５２Ａ１，５２Ａ２は、その突出先端が前記第１の底板５１の外側壁面５１Ａにおけるリブ状突部５１Ａ１，５１Ａ２の突出先端と実質的に同一面とされるコンテナ底部外側壁面５Ａを形成するものとされるから、このために第２底板５２の外側壁面５２Ａのリブ状突部５２Ａ１，５２Ａの突出量Ｈ２（高さ）は、第１の底板５１の外側壁面５１Ａにおけるリブ状突部５１Ａ１，５１Ａ２の突出量Ｈ１に比べて相当量短い（低い）ものとして構成されている（図９参照）。
【００４８】
そして、これらの第１、第２の底板５１，５２のそれぞれの外側壁面５１Ａ，５２Ａに設けられたリブ状突出部５１Ａ１，５１Ａ２および５２Ａ１，５２Ａ２は、その突出先端が前記載置における直接的な当接部、すなわちコンテナ１の摺動面とされており、この摺動面の構造により、コンテナ１の底部壁５の外側壁面５Ａが図１１，１２に図示される前記自動書庫１０における棚板１１やコンテナ搬送機１３における昇降荷台１３ａの載置面等にべったりと全面接触することなく、コンテナ１の搬入・搬出における摺動性の向上が図られている。
【００４９】
また、これらのリブ状突部５１Ａ１，５１Ａ２および５２Ａ１，５２Ａ２は、コンテナ１の前記載置におけるがたつきのない安定性が維持されるための精度の高い平坦面が保たれる構造とされ、さらに、該リブ状突部の長手方向に延びるリブ状突部５１Ａ２，５２Ａ２は、そのコンテナ１の長手方向前後部相当部１Ａ，１Ｂにおいてそれぞれテーパ状５１Ａ３に切り上げられており（図２，６等参照）、これによりさらなるコンテナ１の搬入・搬出時の移動と取り扱いにおける容易化と円滑性の確保がなされる構造とされている。
【００５０】
本実施例におけるコンテナ１の構造は概ね上述のようなものであり、コンテナ１の収納空間２内には図書等が収納されて、図１１，１２に図示されるような自動書庫１０の所定の棚板１１上に搬入載置されて保管され、また、該棚板１１上から搬出される。そして、これらのコンテナ１の自動書庫１０における搬入・搬出は、コンテナ１用の搬送機１３を利用して行なわれる。
【００５１】
自動書庫１０における棚板１１上へのコンテナ１の搬入は、図１２にその搬入状況が斜視図として図示されており、自動書庫１０における棚板１１のスペースの有効利用という視点から、本実施例においては２つのコンテナ１，１が連結された状態においてなされているが、適宜複数個のコンテナ１が、その長手方向前後部の立壁４に設けられた既述の溝連結片４ａとほぞ連結片４ｂを介して連結された状態においてなされるものとすることは勿論可能であり、このコンテナ１の連結収納により棚板１１の奥の方に載置されたコンテナ１の搬出時における作業の容易化が図れている。
【００５２】
自動書庫１０における棚板１１は、その平面視において図１３に図示される構造を備えており、該棚板１１は自動書庫１０の支柱１２間を延びており、その幅は、該棚板１１の奥行き方向にコンテナ１の長手方向が沿うようにして該コンテナ１を棚板１１上に配置したとき、コンテナ１が４個（４列）並列されるに十分な広さとされ、また棚板１１の奥行きは、既述のように本実施例においては２個のコンテナ１，１がその長手方向において連結された状態において収納されるものであるから、２個のコンテナ１がその長手方向において配置されるに十分な長さとされている。
【００５３】
棚板１１上には、図１２，１３に図示されるように前記４個（４列）のコンテナ１を所定位置に並列させて搬入するためのガイドレールＲが設けられており、このガイドレールＲはコンテナ１の搬入時、また搬出時に該コンテナ１の移動案内、つまりコンテナ１の移動における方向性を規制するものであり、これによりコンテナ１の搬入・搬出作用の容易化を図るものであるが、また、同時に該棚板１１における各個各列のコンテナ１の搬入区画１１ａを特定する役目をなすものである。
【００５４】
ガイドレールＲは、図１２にその構造の一部が図示されており、横断面形状が略Ｔ字型をなしており、該断面が逆Ｔ字型の状態において棚板１１上に配設され、該レールＲはその長手方向両側にＬ字側面Ｒ１が備えられた構造とされ、該Ｌ字側面Ｒ１がコンテナ１の搬入・搬出時の移動における該コンテナ１底部長手方向一側部をガイドする構造部とされている。したがって、棚板１１上の搬入区画１１ａに搬入された個々のコンテナ１は、その移動において、互いに隣接配置されるガイドレールＲの対向Ｌ字側面Ｒ１,Ｒ１間で、該対向Ｌ字側面Ｒ１によりその底部長手方向両側がガイドされることになる。
【００５５】
また、図１３の参照により理解できるように、棚板１１の奥行き方向の最奥部相当部には、搬入コンテナ１の先端の底部外側壁面５Ａの構成部が当接するストッパＳが設けられており、これにより、コンテナ１の棚板１１上における搬入が適正かつ安全になされるようになされている。
【００５６】
棚板１１は、既述のように、その表面にガイドレールＲとストッパＳが配設された構造を備えるところであるが、棚板１１の表面は平坦な面構造を有しており、これにより、各コンテナ１の搬入区画１１ａ（図１２，１３参照）に搬入されるコンテナ１は、その底板のリブ状突部による、より具体的には、コンテナ１の底部壁５（５１，５２）の外側壁面５Ａ（５１Ａ,５２Ａ）のリブ状突部５１Ａ１，５１Ａ２および５２Ａ１，５２Ａ２により実質的に形成される該底部壁５の平坦な面を、すなわち、摺動面を該棚板１１の平坦な面に当接させて該棚板１１上に支持され、また、搬入・搬出のために摺動される。
【００５７】
コンテナ１の前記リブ状突部５１Ａ１，５１Ａ２,５２Ａ１，５２Ａ２を介した棚板１１上での当接支持は、リブ状突部の突出先端部が棚板１１に直接当接することでなされるので、底部壁５の平面による全面接触に比較してその当接面積を大幅に減少させることができ、かつ２つの底板５１，５２の外側壁面５１Ａ，５２Ａのリブ状突部５１Ａ１，５２Ａ１が互いに連続しているからコンテナ１の底部壁５の強度の向上が図られて、該底壁部５の変形が抑制されるので、棚板１１上でのコンテナ１の摺動による移動性を向上させることができ、上述の自動書庫１０におけるコンテナ１の搬入・搬出における移動を容易化し、その作業性を向上させる。
【００５８】
本発明の実施例は上述の構成を備えるものであるから、以下のような作用効果を奏するものである。
【００５９】
コンテナ１は、その底板に可動式のブックサポート７を備えているから、コンテナ１内に収納される図書類は、如何なる収納状態においても、つまり、図書類の収納スペースに空きが生じても、図書類の収納量に応じてブックサポート７を適宜移動して、図書類をブックサポート７により側面から支えることができるので、図書類はコンテナ１の収納空間２内に整然と立てた状態で整理されて収納されるから、図書名の目視と取り出しが容易化される。また、図書類の倒れによる損傷が防止される。
【００６０】
ブックサポート７は一本のばね鋼からなるやや太めの線材を単に曲折して形成されているから、その構造は単純であり、その製造はきわめて容易である。
また、このブックサポート７は、その脚部７ｂの拡縮によりその装着や取外しが簡単にでき、しかも該サポート７の適宜所望位置への移動が簡単な操作で無段階になされるとともに、該サポート７の所望の位置における安定した係止状態も簡単な操作で容易に確保することができる。
【００６１】
コンテナ１の底部は、長手方向に延びる２つの開口部５１ａを備えた第１の底板５１と、第１の底板の開口部５１ａをその外側から略全面的に塞ぐ該開口部の底部を実質的に構成する第２の底板５２からなり、該開口部５１ａと第２の底板５２の上面（内側壁面）５２Ｂとの間の空間６に可動式のブックサポート７の係止部７ａを備える脚部７ｂが挿入配置され、ブックサポート７はその所望の位置への移動のために前記開口部５１ａおよび空間６内において、第２の底板５２の上面５２Ｂ上を摺動するようにスライドする。
【００６２】
そして、該空間６において、ブックサポート７は、その脚部７ｂが第２の底板５２の上面、すなわち、底板５２の内側壁面５２Ｂで安定して支えられた状態において、適宜該係止部７ａにより係止状態とされるから、ブックサポート７のスライド移動がスムーズであり、またその係止状態におけるブックサポート７の安定した保持が確保される。
【００６３】
ブックサポート７の装着における係止状態は、十分な長さの係止部７ａと、十分な弾性拡幅力を備えた脚部７ｂによりなされるので、係止部７ａと空間６の両側の溝６ａとの強い摩擦力が確保されその係止は強固であり、ブックサポート７は安定した立設状態を保持することができるから、本発明のコンテナ１の搬入・搬出における移載時等コンテナ高速移動においても、該コンテナ１内に整然と整理収納された図書類は倒れることなく確実に保持される。
【００６４】
コンテナ１は繊維強化合成樹脂（ＦＲＰ）等により製作されるから、軽量であるとともにその強度は高く、しかもコンテナ１の底部壁５には多数の縦横に延びるリブ状突部５１Ａ１，５１Ａ２，５２Ａ１，５２Ａ２が設けられ、これらのリブ状突部は互いに連続した関係にあるから、該底部壁５の強度はさらに強化されており、コンテナ１は殆ど変形することがなく、また損傷を受けにくいことからその取り扱いが容易である。
【００６５】
コンテナ１の底部は、長手方向に延びる２つの開口部５１ａを備えた第１の底板５１と、底板５１の開口部５１ａをその平面視において略全面的に塞ぐ第２の底板５２を備える構造であり、第１の底板５１と第２の底板５２は、コンテナ１の底部壁５の上下において所定の間隔を有し、両底板５１，５２間の空間６には上述のように可動式のブックサポート７が装着されるが、該空間６はコンテナ１の低部壁５の外側壁面５Ａとコンテナ１内部の収納空間２とを実質的に連絡する通気通路を構成するから、収納空間２における適度の通気性を確保することができ、収納空間２内に収納された図書類の傷みが効果的に防止される。
【００６６】
コンテナ１の底部は、底部壁５の外側壁面５Ａに形成される多数の縦横に延びるリブ状突部５１Ａ１，５１Ａ２，５２Ａ１，５２Ａ２を介して上述の自動書庫１０における棚板１１や搬送機１３の昇降荷台１３ａの載置台上に支持され、また摺動させられるが、既述のように互いに連続したリブ状突部により該底部壁５の強化が図られているから該底部壁５は殆ど変形しないので、棚板１１や載置台上におけるコンテナ１の搬入・搬出時の移動における摺動性が向上され、コンテナ１の搬入・搬出が容易化される。
【００６７】
なお、本実施例の変形例として、コンテナ１はスチール製でもよく、この場合ブックサポート７の装着部として供される構造部のみ樹脂製にしてもよい。
また、図書類を２列に配置し、互いに背表紙を外部から見えるように配列させる構造でもよく、この場合にはブックサポート７はそれぞれの図書収納列に対応して設けることになる。
【産業上の利用可能性】
【００６８】
本実施例におけるコンテナの構造は図書類の収納に限られることなく、他の類似物品の収納に用いられるコンテナや収納箱、収納庫等においても適用できるものである。
【図面の簡単な説明】
【００６９】
【図１】本発明のコンテナの全体図を斜視図にて示した図である。
【図２】本発明のコンテナの長手方向の側面を示す外観図である。
【図３】本発明のコンテナの前後壁を示す外観図である。
【図４】本発明のコンテナの上面図である
【図５】本発明のコンテナの底部外観図である。
【図６】本発明のコンテナの図４におけるＡ−Ａ断面図である。
【図７】本発明のコンテナの図４におけるＢ−Ｂ断面図である。
【図８】本発明のコンテナの図４におけるＣ−Ｃ断面図である。
【図９】本発明のコンテナの主要構造部を示す拡大図である。
【図１０】本発明のコンテナに使用されるブックサポートの構造とその周辺構造部を示す図である。
【図１１】本発明のコンテナの自動書庫における搬入状態が示される図である。
【図１２】本発明の自動書庫における棚板上におけるコンテナの搬入状況を示す斜視図である。
【図１３】本発明の自動書庫における棚板の平面図である。
【図１４】従来の図書類収納書庫におけるブックサポートの使用状態を示す図である。
【図１５】図１４に図示のブックサポートの拡大図である。
【符号の説明】
【００７０】
１・・・コンテナ、２，２１，２２・・・収納空間、２０・・・中央仕切リ壁、３・・・長手方向両側の立壁、４・・・前後の立壁、４Ａ・・・外側壁面、４Ｂ・・・内側壁面、４１・・・基部、４２・・・突出構造部、４ａ・・・溝連結片、４ａ１、４ａ２・・・対向部片、４０・・・溝空間、４ｂ・・・ほぞ連結片、５・・・底部壁、５Ａ・・・外側壁面、５Ｂ・・・内側壁面、５１・・・第１の底板、５１Ａ・・・外側壁面、５１Ｂ・・・内側壁面、５１Ａ１，５１Ａ２・・・リブ状突部、５１ａ・・・長い開口部、５１ａ１・・・開口両側縁、５１ｄ・・・腕状連接部、５２・・・第２の底板、５２Ａ・・・外側壁面、５２Ｂ・・・内側壁面、５２Ａ１，５２Ａ２・・・リブ状突部、５３・・・隙間、６・・・空間、６ａ・・・溝、７・・・ブックサポート、７ａ・・・係止部、７ｂ・・・脚部、７ｃ・・・図書押さえ部、１０・・・自動書庫、１１・・・棚板、１１ａ・・・搬入区画、１２・・・支柱、１３・・・搬送機、１３ａ・・・昇降荷台、Ｌ２，Ｌ３・・・幅、Ｒ,Ｒ０・・・ガイドレール、Ｓ・・・ストッパ。
【図１】
2005304573.tif 000003
【図２】
2005304573.tif 000004
【図３】
2005304573.tif 000005
【図４】
2005304573.tif 000006
【図５】
2005304573.tif 000007
【図６】
2005304573.tif 000008
【図７】
2005304573.tif 000009
【図８】
2005304573.tif 000010
【図９】
2005304573.tif 000011
【図１０】
2005304573.tif 000012
【図１１】
2005304573.tif 000013
【図１２】
2005304573.tif 000014
【図１３】
2005304573.tif 000015
【図１４】
2005304573.tif 000016
【図１５】
2005304573.tif 000017